(57)【要約】      （修正有）【課題】使用者の必要に応じて、機能をカスタマイズすることができる測量機を妥当な価格で提供する。【解決手段】測量機の遠隔操作システムは、ターゲットを測量する測量部、測量部を制御する制御部、および通信ネットワークに接続された通信部を備える測量機と、通信ネットワークを介して測量機と通信可能な管理サーバと、通信ネットワークを介して、管理サーバに測量機の機能を追加するように指示する遠隔端末と、通信ネットワークに接続された課金システムとを備え、遠隔端末は、管理サーバに、機能の追加に相当する数量の仮想通貨を消費するように指示し、管理サーバは、遠隔端末の指示に基いて機能の追加に相当する数量の仮想通貨が消費された際に、測量機の機能を追加し、課金システムは、仮想通貨の数量に対応する課金データに基いて課金処理を実行する。【選択図】図５
2019015642.tif 000002
【特許請求の範囲】
【請求項１】
ターゲットを測量する測量部、前記測量部を制御する制御部、および通信ネットワークに接続された通信部を備える測量機と、
前記通信ネットワークを介して前記測量機と通信可能な管理サーバと、
前記通信ネットワークを介して、前記管理サーバに前記測量機に関する機能を追加するように指示する遠隔端末と、
前記通信ネットワークに接続された課金システムとを備え、
前記遠隔端末は、前記管理サーバに、前記測量機に関する機能の追加に相当する数量の仮想通貨を消費するように指示し、
前記管理サーバは、前記遠隔端末の指示に基いて前記前記測量機に関する機能の追加に相当する数量の仮想通貨が消費された際に、前記測量機に関する機能を追加し、
前記課金システムは、前記仮想通貨の数量に対応する課金データに基いて課金処理を実行することを特徴とする測量機の遠隔操作システム。
【請求項２】
前記測量機に関する機能が、前記測量機により実行されることを特徴とする請求項１に記載の測量機の遠隔操作システム。
【請求項３】
前記測量機に関する機能が、前記管理サーバから前記測量機にダウンロードされることにより追加されることを特徴とする請求項１または２に記載の測量機の遠隔操作システム。
【請求項４】
前記測量機に関する機能が、前記遠隔端末に表示されるＷｅｂページ上で実行されることを特徴とする請求項１〜３のいずれかに記載の測量機の遠隔操作システム。
【請求項５】
前記測量機に関する機能が、前記管理サーバにより実行されることを特徴とする請求項１〜４のいずれかに記載の測量機の遠隔操作システム。
【発明の詳細な説明】
【技術分野】
【０００１】
本発明は、測量器の遠隔操作システムに関し、特に仮想通貨を用いた測量機の遠隔操作システムに関する。
【背景技術】
【０００２】
測量機（トータルステーション）は、測定点に置かれたターゲットに対し測距光を照射し、その反射光を受光して測量を行う。近年、測量機をインターネット等の通信ネットワークを介して遠隔管理することが知られている。
【０００３】
例えば、特許文献１には、通信ネットワークを介して測量機の状態を把握し、ライセンス期間やメンテナンス期間の管理を行うことを可能とした測量機の遠隔操作システムが開示されている。
【０００４】
一方、近年、測量機は高機能化が進んでおり、上記ライセンス管理やメンテナンス管理に関する機能以外にも、後方交会機能、方向角自動測定機能等の応用測定に関する機能やその他の機能等の様々な機能が実装されている。
【先行技術文献】
【特許文献】
【０００５】
【特許文献１】特開２００７−１７０９７８号公報
【発明の概要】
【発明が解決しようとする課題】
【０００６】
様々な機能が実装された測量機は、使用者に高い利便性を提供する一方で、価格が高額になりがちであり、使用の目的によっては、使用者が必要としない機能を搭載した測量機を購入することになるという問題があった。
【０００７】
このような状況の中、発明者らは、特許文献１に記載したような遠隔操作システムを用いて、様々な機能を、通信ネットワークを介して管理したり、操作したりすることを検討した。しかし、単に遠隔操作システムを用いて、測量機本体に実装された機能を設定管理・操作するのでは、測量器本体がさらに高額になってしまう。
【０００８】
そこで、使用者の必要に応じて、機能を後付でカスタマイズできるような仕様とし、簡便かつ安心な方法で追加の費用を決済できるようにすれば、使用者が真に求める測量機を妥当な価格で提供することが可能になると考え、本発明を提案するものである。
【０００９】
従って、本発明は、使用者の必要に応じて機能をカスタマイズすることができる測量機を妥当な価格で提供することを目的とする。
【課題を解決するための手段】
【００１０】
上記課題を解決するために、本発明の一つの態様に係る測量機の遠隔操作システムは、ターゲットを測量する測量部、前記測量部を制御する制御部、および通信ネットワークに接続された通信部を備える測量機と、前記通信ネットワークを介して前記測量機と通信可能な管理サーバと、前記通信ネットワークを介して、前記管理サーバに前記測量機に関する機能を追加するように指示する遠隔端末と、前記通信ネットワークに接続された課金システムとを備え、前記遠隔端末は、前記管理サーバに、前記測量機に関する機能の追加に相当する数量の仮想通貨を消費するように指示し、前記管理サーバは、前記遠隔端末の指示に基いて前記前記測量機に関する機能の追加に相当する数量の仮想通貨が消費された際に、前記測量機に関する機能を追加し、前記課金システムは、前記仮想通貨の数量に対応する課金データに基いて課金処理を実行することを特徴とする。
【００１１】
上記態様において、前記測量機に関する機能が、前記測量機により実行されることも好ましい。
【００１２】
また、上記態様において、前記測量機に関する機能が、前記管理サーバから前記測量機にダウンロードされることにより追加されることも好ましい。
【００１３】
また、上記態様において、前記測量機に関する機能が、前記遠隔端末に表示されるＷｅｂページ上で実行されることも好ましい。
【００１４】
また、前記測量機に関する機能が、前記管理サーバにより実行されることも好ましい。
【００１５】
なお、本明細書において、「機能を追加する」とは、ある機能を実装可能なアプリケーションまたはモジュール（以下において、「アプリケーション等」という。）をインストールして実行可能な状態とすることのみならず、既に実装されているが、実行不可能な状態となっている機能を制限の解除等により実行可能な状態（有効な状態）とすること、既に実装されている機能をバージョンアップすること、既に実装されている機能を拡張すること、および既に実装されている機能の回数、数量、範囲等に制限がある場合に、その制限を解放することを含む。
【発明の効果】
【００１６】
本発明の遠隔操作システムによれば使用者の必要に応じて、機能をカスタマイズすることができる測量機を、妥当な価格で提供することができる。
【図面の簡単な説明】
【００１７】
【図１】本発明の実施の形態に係る遠隔操作システムの全体構成を示す図である。
【図２】同形態に係る測量機の構成ブロック図である。
【図３】同形態に係る遠隔端末の構成ブロック図である。
【図４】同形態に係る管理サーバの構成ブロック図である。
【図５】実施例１に係る遠隔操作システムのワークフローを示すフローチャートである。
【図６】同実施例に係る管理サーバの動作のフローチャートである
【図７】同実施例に係る測量機の動作のフローチャートである。
【図８】変形例１に係る遠隔操作システムのワークフローを示すフローチャートである。
【図９】同変形例に係る測量機の動作のフローチャートである。
【図１０】変形例２に係る遠隔操作システムのワークフローを示すフローチャートである。
【図１１】変形例３に係る遠隔操作システムのワークフローを示すフローチャートである。
【発明を実施するための形態】
【００１８】
以下、本発明の好適な実施の形態について、図面を参照しながら説明する。
【００１９】
実施の形態
（遠隔操作システムの全体構成）
図１は、本発明の第１の実施の形態に係る遠隔操作システム１０の全体構成を示す図である。図１に示すように、遠隔操作システム１０は、管理対象である複数の測量機ＴＳ１、ＴＳ２・・・ＴＳｘ（以下、代表符号をＴＳとする。）、管理サーバＭＳ、遠隔端末ＲＣ、および課金システムＡＳを備える。測量機ＴＳ、管理サーバＭＳ、遠隔端末ＲＣおよび課金システムＡＳはそれぞれ通信ネットワークＮに接続されている。なお、本明細書において、「使用者」は、測量機の使用者のみならず、測量機の所有者、または管理会社、代理店等の管理者を含んでいる。
【００２０】
通信ネットワークＮは、インターネットや、社内ＬＡＮ等のローカル・エリア・ネットワークや、接続ケーブルや、衛生通信ネットワークなど、任意の通信ネットワークを含んでもよい。
【００２１】
（測量機の構成）
図２は、本実施の形態に係る測量機ＴＳの構成ブロック図である。測量機ＴＳは、トータルステーション（電子式測距測角儀）である。図２に示すように、測量機ＴＳは、測量部２１、制御部２２、通信部２３、表示部２４、および回転駆動部２５を有する。なお、通信部２３は、測量機ＴＳに後付け（外付け）された構成であってもよい。
【００２２】
測量部２１は、測量機ＴＳの望遠鏡（図示せず）内に配置された発光素子、測距光学系、および受光素子を備える。測量部２１は、上記発光素子から、上記測距光学系を介して測距光を出射してターゲットを照射し、ターゲットからの反射光を上記受光素子で受光することにより、測距を行う。また、測量部２１は、上記望遠鏡の鉛直回転角および上記望遠鏡の筐体（図示せず）の水平回転角をロータリエンコーダで測定することにより、測角を行う。
【００２３】
通信部２３は、通信ネットワークＮを介して外部との通信を可能にするものであり、例えば、インターネットプロトコル（ＴＣＰ／ＩＰ）を用いてインターネットと接続している。
【００２４】
表示部２４は、液晶画面を有し、測量条件等を入力可能であり、測量に関する各種情報が表示される。回転駆動部２５は、モータであり、上記望遠鏡を鉛直回転させるものと、上記筐体を水平回転させるものがある。
【００２５】
制御部２２は、少なくともＣＰＵおよびメモリ（ＲＯＭ，ＲＡＭ等）を備える制御ユニットである。制御部２２は、測量アプリケーション・プログラムを実行し、アプリケーションに従った画面を表示部２４に表示させる。制御部２２は、測量部２１および回転駆動部２５を駆動し、ターゲットの自動視準、測距および測角を行い、測定点の測量データを取得する。
【００２６】
また、制御部２２は、通信部２３を用いて、通信ネットワークＮを介して、管理サーバＭＳと情報の送受信を行う。制御部２２は、例えば、稼働時間、稼働位置、メンテナンス履歴、エラー等に関する情報を、定期的にまたは必要に応じて、管理サーバＭＳに送信する。管理サーバＭＳからの指令を実行する。
【００２７】
さらに、制御部２２は、管理サーバＭＳに、一定の周期、例えば１日に一回、電源をＯＮする毎の周期で状態を確認する。すなわち、管理サーバにＭＳに測量機ＴＳが実行すべき機能がないか、表示すべきメッセージがないか等を確認する。
【００２８】
また、制御部２２は、管理サーバＭＳに保存された設定に基いて、指定された機能を実行するのに必要なモジュールを自動的にダウンロードして当該機能を実行したり、管理サーバＭＳに保存されたメッセージをダウンロードして表示部２４に表示させたりする。
【００２９】
（遠隔端末の構成）
図３は本実施の形態に係る遠隔端末ＲＣの構成ブロック図である。遠隔端末ＲＣは、使用者に所有されている、例えば、パーソナルコンピュータ、スマートフォン、タブレット等の端末である。図３に示すように、遠隔端末ＲＣは、端末通信部３１、端末制御部３２、端末表示部３３、および端末入力部３４を少なくとも有する。
【００３０】
端末通信部３１は、通信ネットワークＮを介して、後述する管理サーバＭＳのサーバ通信部４１との間で情報の送受信が可能である。
【００３１】
端末制御部３２は、少なくともＣＰＵおよびメモリ（ＲＯＭ，ＲＡＭ等）を備える制御ユニットである。端末制御部３２は、設定対象とする測量機ＴＳに関して、使用する機能の選択および当該機能を使用することができる期間（以下において、「有効期間」という。）等の設定を行う。
【００３２】
端末表示部３３は、端末制御部３２からの指令に基いて、測量機メーカ（以下において、単に「メーカ」という。）が提供する遠隔操作システム専用のＷｅｂページ１００を含む使用者用の操作画面を表示するものであり、例えば液晶ディスプレイ等である。
【００３３】
端末入力部３４は、例えば、キーボード、テンキー、タッチパネル等の入力装置であり、遠隔端末ＲＣの動作に必要な情報を入力する。
【００３４】
（管理サーバの構成）
図４は、本実施の形態に係る管理サーバＭＳの構成ブロック図である。管理サーバＭＳは、サーバ通信部４１、サーバ制御部４２、記憶部４３、時計４４を少なくとも有する。
【００３５】
サーバ通信部４１は、通信ネットワークＮを介して、測量機ＴＳの通信部２３および遠隔端末ＲＣの端末通信部３１との間で情報の送受信が可能である。
【００３６】
記憶部４３は、少なくともデータベース５１と、仮想通貨数量保存部５２を備える。また、記憶部４３は、測量機ＴＳに関する機能の設定を保存する。
【００３７】
データベース５１は、測量機ＴＳおよび遠隔端末ＲＣから受信した情報を、測量機ＴＳの管理番号と関連付けて保存している。また、データベース５１は、例えば、測量機に関する機能の有効期間が終了した場合に、測量機ＴＳで表示するメッセージや管理サーバＭＳが送信する電子メールのメッセージ等を保存している。
【００３８】
仮想通貨数量保存部５２は、後述する仮想通貨生成部４８で生成され、仮想通貨管理部４９で管理される仮想通貨の数量を保存している。
【００３９】
サーバ制御部４２は、少なくともＣＰＵおよびメモリ（ＲＯＭ，ＲＡＭ等）を備える制御ユニットである。サーバ制御部４２は、図４に示す様に、設定読み出し部４５、判断実行部４６および動作実行部４７、仮想通貨生成部４８および仮想通貨管理部４９を備える。
【００４０】
設定読み出し部４５は、データベース５１に保存された設定を読み出す。具体的には、対象となる測量機に関して追加された機能に関する設定および当該機能の有効期間に関する設定を読み出す。
【００４１】
判断実行部４６は、管理サーバＭＳに内蔵される時計４４から取得される現在日時と、設定された有効期間終了日時とを比較し、現在日時が有効期間終了日時を超過しているか否かを判断する。
【００４２】
動作実行部４７は、データベース５１に保存された設定に基き、設定された動作を実行する。具体的な動作については後述する。
【００４３】
仮想通貨生成部４８は、遠隔端末ＲＣからの要求に応じて、円、ドル等の通貨等の両替と言う形で仮想通貨を生成し、仮想通貨の数量に対応する課金データを作成する。ここで、仮想通貨は、遠隔操作システム１０により提供されるサービスに関する経済活動を行うことを可能とする、貨幣価値を有するものであり、現金に換算したり、他のサービスで使用したりする交換価値を有していてもよい。使用者は、この仮想通貨を、例えば、銀行口座引き落としや、クレジットカード決済により購入したり、予め購入したＷｅｂ上で利用可能な電子マネーを利用して購入したりすることができる。
【００４４】
また、課金データは、決済に必要なデータであり、例えば、銀行口座番号またはクレジットカード番号および購入金額等を含む。
【００４５】
課金システムＡＳは、管理サーバＭＳから送信された、仮想通貨の数量に対応する課金データに基いて決済を実行する。このような課金システムＡＳについては、コンピュータにより実現するが、公知の技術であるため詳細な説明は省略する。また、課金システムＡＳは、管理サーバＭＳに組み込まれていてもよい。
【００４６】
使用者により購入された仮想通貨は、例えば、使用者のアカウントに関連付けられてデータベース５１に保存される。仮想通貨管理部４９は、データベース５１に保存された仮想通貨の数量を管理する。
【００４７】
実施例１
本実施の形態に係る遠隔操作システム１０を用いて、測量機ＴＳｘに関する機能として、測量機ＴＳｘで実行される機能を、測量機ＴＳｘに内蔵された機能を有効な状態とすることによりを追加する例を示す。図５は、実施例１に係る遠隔操作システム１０のワークフローを示すフローチャートである。
【００４８】
ステップＳ１０１において、使用者は、遠隔端末ＲＣからＷｅｂページ１００にログインし、仮想通貨を購入する。購入済みの仮想通貨の数量は、Ｗｅｂページ１００で使用者が確認することができる。
【００４９】
次にステップＳ１０２で、使用者は、遠隔端末ＲＣからＷｅｂページ１００にログインし、対象となる測量機ＴＳｘを選択し、測量機ＴＳｘについて使用する機能を選択し、当該機能の詳細について設定し、当該機能の有効期間を設定する。
【００５０】
対象となる測量機ＴＳｘは、例えば、Ｗｅｂページ１００に表示された、使用者のアカウントに関連付けられた測量機ＴＳ１、ＴＳ２・・・のリストから選択される。この時、複数台の測量機ＴＳｘを一度に選択することもできる。
【００５１】
測量機に関する機能としては、例えば、Ｗｅｂページ１００に表示された、チェックボックスやプルダウン形式などの選択可能な機能のリストから選択される。選択可能な機能の例としては、例えば以下のようなものが挙げられる。
（１）対辺測定機能、ＲＥＭ測定機能、座標測定機能、面積測定機能、杭打ち測定機能、オフセット測定機能、後方交会機能、方向角自動測定機能等の応用測定に関する機能。
（２）測距可能な回数、使用可能なターゲットの設定数、測量可能な測定数や保存可能な測定数等の制限の解放に関する機能。
（３）測量機の通信部をＷｉ−Ｆｉルータとして外部機器のインターネット接続を可能とするテザリング機能。
（４）測量機を使用可能な時間帯、位置の制限等の、ライセンス管理に関する機能。
【００５２】
本実施例において、これらの機能を実装するために必要なアプリケーション等は、出荷時より測量機の制御部に内蔵されている。
【００５３】
機能の詳細の設定は、例えば、測距可能回数やターゲット種類、測定数等、数量に限定のある場合にその数量を指定したり、位置範囲等、範囲に制限がある場合にその範囲を指定したり、その他機能についての詳細な設定をすることを含んでもよい。
【００５４】
機能の有効期間の設定は、例えば、機能の有効期間を、「設定日から６月間」、「設定日から１年間」の様に期間で指定したり、予め定められた有効期間終了日時を日時で指定したりすることを含んでもよい。
【００５５】
設定完了の許諾画面には、設定を完了するためには、仮想通貨を所定単位消費することが表示される。これを「ＹＥＳ」とすることにより、ステップＳ１０３に移行し、管理サーバＭＳにより設定が保存されるとともに、ステップＳ１０１で、予め購入しておいた仮想通貨が所定単位消費される。減算された仮想通貨の数量は、管理サーバＭＳに保存される。
【００５６】
消費される仮想通貨の数量については、例えば、以下の例を、単独で、または組み合わせて、メーカが任意に設定することができる。
（ｉ）それぞれの機能に対して、個別の単位数量を設定する。
この場合において、複数の異なる機能を一度に設定する場合には、それぞれの単位数量を合計した数量の仮想通貨が消費される。
（ｉｉ）複数の機能の組み合わせに対して、単位数量を設定する。
（ｉｉｉ）ある機能を実行する回数に対して、単位数量を設定する。
この場合、例えば機能を所定回数実行するために単位数量の仮想通貨が消費される。
（ｉｖ）ある機能を使用する測量機の１台あたりに単位数量を設定する。
この場合において、複数の測量機に機能を使用する場合には、単位数量に測量機の台数を乗じた数量の仮想通貨が消費される。
（ｖ）機能の有効期間（例えば、１年）に対して、単位数量を設定する。
この場合において、例えば、５年間の有効期間を設定する場合には、有効期間１年間に対して設定された単位数量の５倍の数量の仮想通貨が消費される。
（ｖｉ）使用者の会社またはアカウントに対して、単位数量を設定する。
この場合、例えば、設定する機能を、当該会社またはアカウントに関連付けられた全ての測量機ＴＳに適用できる。
（ｖｉｉ）回数や数量等に制限が設けられた機能において、第１の単位数量で実行可能な回数や数量等の上限を設定しておき、上限を超えた回数や数量等に対して第２の単位数量を設定する。
この場合、第１の単位数量は設定せず、上限までは仮想通貨を消費せずに実行可能とし、上限を超えた数量等に対してのみ、仮想通貨を消費するように設定してもよい。
（ｖｉｉｉ）機能、台数、期間等について単位数量が設定された場合において、仮想通貨を消費せずに使用可能な範囲を設け、当該範囲の上限を超えた場合に、上限を超えた機能、台数、期間等に対して、単位数量を設定する。
【００５７】
次に、ステップＳ１０４に移行すると、測量機ＴＳｘは、設定された機能が実行可能な状態となり、ステップＳ１０２で行った設定に基いて設定された機能が実行される。
【００５８】
そして、有効期間終了日時が到来し、有効期間が終了すると、ステップＳ１０５に移行して、管理サーバＭＳは、上記機能を無効化するとともに、有効期間の終了を使用者に通知する。
【００５９】
通知は、例えば、測量機ＴＳｘの表示部２４にメッセージを表示したり、Ｗｅｂページ１００にメッセージを表示したり、メッセージを使用者に電子メールにより送信したりすることにより行う。
【００６０】
（管理サーバの動作）
図６は、本実施の形態に係る管理サーバＭＳの動作を示すフローチャートである。機能の追加が設定されている状態において、管理サーバＭＳは、常時、予め定められた一定の間隔で、以下の動作を実施する。まず、ステップＳ４０１で、設定読み出し部４５が、指定された機能の設定された有効期間終了日時を読み出し、時計４４により取得される現在日時と、有効期間終了日時とを確認する。
【００６１】
次に、ステップＳ４０２に移行すると、判断実行部４６は、現在日時と有効期間終了日時とを比較して、有効期間が終了したか否かを判断する。
【００６２】
有効期間が終了した場合（ＹＥＳ）には、ステップＳ４０３に移行して、設定により指定された動作を実行する。具体的には、測量機ＴＳｘの当該機能を無効化するとともに、測量機ＴＳｘの表示部２４にメッセージを表示したり、Ｗｅｂページ１００にメッセージを表示したり、使用者に電子メールを送信したりして、有効期間が終了したことを通知する。その後、管理サーバＭＳは処理を終了する。
【００６３】
一方、有効期間が終了していない場合（ＮＯ）には、ステップＳ４０４に移行して、設定されている機能を続行する。その後、管理サーバＭＳは処理を終了する。
【００６４】
（測量機の動作）
図７は、本実施例に係る測量機ＴＳｘの動作のフローチャートである。測量機ＴＳｘは、機能の追加が設定されている状態において、一定の周期で管理サーバＭＳと通信し、以下の動作を実行する。
【００６５】
まず、ステップＳ２０１で、管理サーバＭＳに状態を確認する。次いで、ステップＳ２０２に移行して、設定されている機能が有効であるか否かを判断する。
【００６６】
設定されている機能が有効である場合（ＹＥＳ）は、ステップＳ２０３に移行して、設定されている機能を実行する。既に当該機能が実行されている場合は、当該機能の実行を続行する。その後、測量機ＴＳｘは処理を完了する。
【００６７】
設定されている機能が無効である場合（ＮＯ）は、ステップＳ２０４に移行して、当該機能を停止するとともに、表示するメッセージが管理サーバＭＳに存在するかどうかを確認し、存在する場合には、管理サーバＭＳよりダウンロードして取得し、表示部２４にメッセージを表示する。測量機ＴＳｘは処理を完了する。
【００６８】
変形例１
次に、測量機ＴＳｘに関する機能として、測量機ＴＳｘで実行される機能を、測量機ＴＳｘにインストールすることにより追加する例を示す。
【００６９】
（遠隔操作システムのワークフロー）
図８は、変形例１に係る遠隔操作システム１０のワークフローを示すフローチャートである。以下の変形例の説明において、実施例と実質的に同一のステップについては、必要に応じてその旨を記載し、重複する説明を省略する。
【００７０】
ステップＳ１１１において、ステップＳ１０１と同様に、使用者は、遠隔端末ＲＣからＷｅｂページ１００にログインし、仮想通貨を購入する。
【００７１】
次にステップＳ１１２で、ステップＳ１０２と同様に、使用者は、遠隔端末ＲＣからＷｅｂページ１００にログインし、対象となる測量機ＴＳｘを選択し、測量機ＴＳｘに関して追加する機能を選択し、当該機能の詳細について設定し、当該機能の有効期間を設定する。
【００７２】
追加する機能の例としては、例えば、実施例１に例示した（１）〜（４）の機能に加えて、
（５）測量機ＴＳに実装されている機能のアプリケーション等をアップデートしたりバージョンアップしたりする機能
が挙げられる。
なお、（１）〜（４）の機能については、実施例１とは異なり、機能を実装するために必要なアプリケーション等は、出荷時に内蔵されていない。
【００７３】
設定完了の許諾画面には、設定を完了するためには、仮想通貨を所定単位消費することが表示される。これを「ＹＥＳ」とすることにより、ステップＳ１１３に移行し、ステップＳ１０３と同様に、管理サーバＭＳにより設定が保存されるとともに、ステップＳ１１１で、予め購入しておいた仮想通貨が所定単位消費される。
【００７４】
次に、ステップＳ１１４に移行すると、測量機ＴＳｘは、指定された機能を実装するためのアプリケーション等を、管理サーバＭＳより自動的にダウンロードし、測量機ＴＳｘにインストールする。
【００７５】
次に、ステップＳ１１５に移行して、測量機ＴＳｘは、指定された機能を実行する。
【００７６】
そして、有効期間終了日時が到来し、有効期間が終了すると、ステップＳ１１６に移行して、管理サーバＭＳは、上記機能を無効化するとともに、有効期間の終了を使用者に通知する。
【００７７】
（測量機の動作）
図９は、本変形例に係る測量機ＴＳｘの動作のフローチャートである。測量機ＴＳｘは、一定の周期で管理サーバＭＳと通信し、以下の動作を実行する。なお、その他の動作については実施例１と概ね同様であるので説明を省略する。
【００７８】
まず、ステップＳ２１１で、管理サーバＭＳの状態を確認する。次いで、ステップＳ２１２に移行して、設定されている機能が有効であるか否かを判断する。
【００７９】
設定されている機能が有効である場合（ＹＥＳ）は、ステップＳ２１３に移行して、設定されている機能を実装するためのアプリケーション等を管理サーバＭＳからダウンロードする。
【００８０】
その後、ステップＳ２１４に移行して、当該機能を実行する。但し、ステップＳ２１３において、既に当該機能が実行されている場合は、ダウンロードは行わず、当該機能の実行を続行する。その後測量機ＴＳｘは処理を完了する。
【００８１】
一方、ステップＳ２１２において、設定されている機能が無効である場合（ＮＯ）は、ステップＳ２１５に移行して、当該機能を停止するとともに、表示するメッセージが管理サーバＭＳに存在するかどうかを確認し、存在する場合には、管理サーバＭＳよりダウンロードして取得し、表示部２４にメッセージを表示する。その後、測量機ＴＳｘは処理を完了する。
【００８２】
変形例２
次に、測量機ＴＳｘに関する機能として、遠隔端末ＲＣに表示されるＷｅｂページ上で実行される機能を追加する例を示す。
【００８３】
（遠隔操作システム１０のワークフロー）
図１０は、変形例２に係る遠隔操作システム１０のワークフローを示すフローチャートである。
【００８４】
ステップＳ１２１において、ステップＳ１０１と同様に、使用者は、遠隔端末ＲＣからＷｅｂページ１００にログインし、仮想通貨を購入する。
【００８５】
次にステップＳ１２２で、ステップＳ１０２と同様に、使用者は、遠隔端末ＲＣからＷｅｂページ１００にログインし、対象となる測量機ＴＳｘを選択し、測量機ＴＳｘについて追加する機能を選択し、当該機能の詳細について設定し、当該機能の有効期間を設定する。
【００８６】
追加する機能は、例えば、Ｗｅｂページ１００に表示された、測量機ＴＳｘに関する機能のリストから選択される。本実施例における機能は、Ｗｅｂページ１００上で実行される機能である。
【００８７】
測量機ＴＳｘに関する機能の例としては、例えば以下のようなものがあげられる。
（６）測量機ＴＳから管理サーバＭＳへ随時送信されている情報を、レポートとして、Ｗｅｂページ１００上に表示する機能
具体例）  ・稼働時間レポート
・機械のメンテナンス履歴のレポート
・稼働した位置情報のレポート等
（７）測量機ＴＳから管理サーバＭＳへ随時送信されているデータを解析処理し、その結果をＷｅｂページ１００上に表示する機能
具体例）  ・稼働時間実績に基づく使用時間予測モデル
・稼働時間実績に基づくメンテナンス時期予測モデル
・エラー情報に基づく今後のトラブル予測および対応方法
（８）測量機ＴＳに既に実装されているが制限されている機能をＷｅｂページ１００から解放（有効化）する機能
具体例）  ・測量機が動作可能な位置範囲の制限をＷｅｂページ１００から解放する
・測量機をＷｅｂページ１００から遠隔ロックする機能を有効にする
【００８８】
設定完了の許諾画面には、設定を完了するためには、仮想通貨を所定単位消費することが表示される。これを「ＹＥＳ」とすることにより、ステップＳ１２３に移行し、ステップＳ１０３と同様に、管理サーバＭＳにより設定が保存されるとともに、ステップＳ１２１で、予め購入しておいた仮想通貨が所定単位消費される。
【００８９】
次に、ステップＳ１２４に移行して、管理サーバＭＳは、指定された機能をＷｅｂページ上で実行可能とし、Ｗｅｂページ１００上の指示に従って実行する。
【００９０】
そして、有効期間が終了すると、ステップＳ１２５に移行して、管理サーバＭＳは、上記のＷｅｂページ１００上の機能を無効化するとともに、有効期間の終了を使用者に通知する。
【００９１】
変形例３
次に、測量機ＴＳｘに関する機能として、測量機ＴＳｘで実行される機能と遠隔端末に表示されるＷｅｂページ上で実行される機能とを組み合わせて追加する例を示す。図１１は、変形例３にかかる遠隔操作システム１０のワークフローを示すフローチャートである。
【００９２】
ステップＳ１３１において、ステップＳ１０１と同様に、使用者は、遠隔端末ＲＣからＷｅｂページにログインし、仮想通貨を購入する。
【００９３】
次にステップＳ１３２で、ステップＳ１０２と同様に、使用者は、遠隔端末ＲＣからＷｅｂページにログインし、対象となる測量機ＴＳｘを選択し、測量機ＴＳｘについて追加する機能を選択し、当該機能の詳細について設定し、当該機能の有効期間を設定する。
【００９４】
追加する機能は、例えば、Ｗｅｂページ１００に表示された、測量機ＴＳｘに関する機能のリストから選択される。本変形例における機能は、Ｗｅｂ上および測量機ＴＳで実行される機能である。
【００９５】
測量機ＴＳｘに関する機能の例としては、例えば以下のようなものが挙げられる。
（９）測量機ＴＳの詳細な機械ログ等を確認する機能
機械ログの例としては、モータの回転時間／ＥＤＭシャッタ回数，機械のキー操作履歴，チルトセンサ等の詳細情報等である。このような詳細なデータは、通常状態では、管理サーバＭＳに送信されておらず、通常の操作とは別に管理サーバＭＳに送信する必要がある。
（１０）（９）で取得したデータを解析処理し、その結果をＷｅｂページ１００上に表示する機能
例えば、モータ回転時間に基づくメンテナンス時期の予測モデルの表示や、メンテナンス時期の表示などが挙げられる。
（１１）測量機ＴＳが管理サーバＭＳの記憶領域を、測量機ＴＳ自体のストレージとして使用可能なクラウドストレージの使用可否および使用可能サイズの設定機能
（１２）エラー発生時に測量機ＴＳから自動的にメールを送信する機能
（１３）リモートアクセスによりＷｅｂページ１００から測量機を遠隔操作する機能
（１４）Ｗｅｂページ１００から測量機ＴＳに任意のメッセージを送信する機能
（１５）測量機ＴＳから管理サーバＭＳに任意のメッセージを送信し、Ｗｅｂページ１００で表示する機能
【００９６】
設定を承諾すると、ステップＳ１３３に移行し、ステップＳ１０３と同様に、管理サーバＭＳにより設定が保存されるとともに、ステップＳ１３１で、予め購入しておいた仮想通貨が所定単位消費される。
【００９７】
次に、ステップＳ１３４に移行して、管理サーバＭＳは、指定された機能をＷｅｂページ上および測量機ＴＳｘで実行可能とする。
【００９８】
そして、有効期間が終了すると、ステップＳ１３５に移行して、管理サーバＭＳは、上記のＷｅｂページ１００上の機能を無効化するとともに、有効期間の終了を使用者に通知する。
【００９９】
変形例４
別の変形例として、測量機ＴＳｘに関する機能として、Ｗｅｂ上および測量機ＴＳで実行される機能に加えて、または単独で、管理サーバＭＳで実行可能な機能を追加することができる。例えば、指定日時に任意のメッセージを電子メールにより送信する機能等である。
【０１００】
変形例５
また、別の変形例として、有効期間の設定だけではなく、例えば、1回、１０回等、機能を実行する回数に制限を設けて、回数の上限を超えた場合に機能を無効としてもよい。例えば、有効期間を設定せず、機能を１回使用する毎に仮想通貨を１単位消費するように設定することもできる。また、上記（１４）、（１５）のような機能では、例えば、仮想通貨を１単位消費することにより、５回メッセージを送信可能と設定することができる。
【０１０１】
この場合、図７において、管理サーバＭＳの設定読み出し部４５が、設定された機能の有効期間終了日時を読み出し（ステップＳ２０１）、判断実行部４６が、有効期間が終了したかの判断を行う（ステップ２０２）代わりに、設定読み出し部４５が、保存された機能の実行回数を読み出し、判断実行部４６が、これと設定された実行可能回数とを比較し、実行回数と設定された実行可能回数との差が０となった時、機能を無効化する。
【０１０２】
変形例６
さらに別の変形例として、上記の機能および設定を任意に組み合わせて１つの機能として、実行するように設定することもできる。
【０１０３】
このようなものの例として、メンテナンス管理機能を説明する。メンテナンス管理機能において、管理会社等の管理者（本明細書における使用者）が、メンテナンス設定として、定期メンテナンス等で所定のメンテナンス作業が必要とされる日時をメンテナンス期日として設定し、メンテナンス期日到来前に、事前通知を行い、メンテナンス期日が到来すると、メンテナンス期日の到来を通知する本通知を行い、管理者によりメンテナンス設定が解除されると本通知が停止されるようなメンテナンス管理機能について、仮想通貨を１単位消費するように設定する。事前通知および本通知は、測量機ＴＳへの表示、Ｗｅｂページ１００への表示、およびメールの送信により行われる。
【０１０４】
このように、本変形例に係る遠隔操作システム１０では、測量機ＴＳの機能、Ｗｅｂ上の機能、管理サーバＭＳにおける機能を組み合わせたメンテナンス管理機能が追加できるようになる。
【０１０５】
なお、当該メンテナンス管理機能では、管理者が、メンテナンス設定を解除するまで通知が停止されないので、使用者が、管理者にメンテナンス作業を依頼するのを促進することができる。
【０１０６】
このように、本実施の形態に係る測量機の遠隔操作システム１０によれば、例示したような様々な機能を、使用者の必要に応じて、追加することができる。追加した機能に応じた対価を仮想通貨により決済することができるので、使用者は、個々の使用の目的に応じた機能をそれに応じた金額で利用することができる。メーカは、追加した機能の数量に応じた収益をあげることができるので、測量機本体を妥当な価格で提供することができる。
【０１０７】
さらに、将来開発される新たな機能についても、追加することが可能となる。
【０１０８】
また、本実施の形態に係る遠隔操作システム１０によれば、仮想通貨を用いた簡便で安全な決済手段を用いているため、使用者は、決済に関して煩雑な手続きを行う必要がなく、使用者の利便性が向上する。
【０１０９】
また、本実施の形態に係る遠隔操作システム１０によれば、測量機のいわゆるユーザばかりでなく、管理会社や代理店等の管理者にも様々なサービスを提供することができる。
【０１１０】
以上、本発明の好ましい実施の形態およびその変形例について述べたが、これらは本発明の一例であり、これらを当業者の知識に基づいて組み合わせることが可能であり、そのような形態も本発明の範囲に含まれる。
【符号の説明】
【０１１１】
１０  測量機の遠隔操作システム
２１  測量部
２２  制御部
２３  通信部
Ｎ  通信ネットワーク
ＭＳ  管理サーバ
ＲＣ  遠隔端末
ＴＳ  測量機
ＡＳ  課金システム
【図１】
2019015642.tif 000003
【図２】
2019015642.tif 000004
【図３】
2019015642.tif 000005
【図４】
2019015642.tif 000006
【図５】
2019015642.tif 000007
【図６】
2019015642.tif 000008
【図７】
2019015642.tif 000009
【図８】
2019015642.tif 000010
【図９】
2019015642.tif 000011
【図１０】
2019015642.tif 000012
【図１１】
2019015642.tif 000013